【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
一般式（Ｉ）の化合物、並びに一般式（ＩＩ）、（ＩＩＩ）及び（ＩＶ）に対応する一般式（Ｉ）の化合物の二量体、及びそれらの酸付加塩及びそれらの溶媒和物に対応するカチオン性ナフタルイミド染料：
【化１】
2008536999.tif 000001
上記式（Ｉ）〜（ＩＶ）において、
・基Ｒ1は、相互に別々に且つ独立に、水素原子；任意に置換されたＣ1〜Ｃ4アルキル基を表し、
・基Ｒは、相互に別々に且つ独立に、水素原子；アリール部分が任意に置換されたアリール又はアリールアルキル基；酸素、窒素及び硫黄から選択される１以上のヘテロ原子で任意に中断され、且つ下記の式（ａ）及び（ｂ）に対応する少なくとも一つの基で置換されてよい、任意に置換されたＣ1〜Ｃ8、好ましくはＣ2〜Ｃ8のアルキル基を表し、
【化２】
2008536999.tif 000002
ここで、基Ｒ2は任意に置換されたＣ1〜Ｃ6アルキル基を表し、基Ｒ3はハロゲン原子、任意に置換されたＣ1〜Ｃ6アルキル基、Ｃ1〜Ｃ4モノヒドロキシアルキル基、Ｃ1〜Ｃ4アルコキシル基、ヒドロキシカルボニル基、（Ｃ1〜Ｃ6）アルキルチオ基、又はＣ1〜Ｃ4アルキル基でジ置換されたアミノ基を表し、ｚは両端を含む０〜３の整数であり、ｚ’は両端を含む０〜２の整数であり、
・Ｌは、カチオン性若しくは非カチオン性のリンカーアームであり、
・Ｘ-は、式（Ｉ）〜式（ＩＶ）の化合物の電気的中性を保証するための対イオンである。
【請求項２】
請求項１に記載のナフタルイミド染料であって、前記Ｌが、次式によって定義されるナフタルイミド染料：
【化３】
2008536999.tif 000003
【請求項３】
請求項１に記載のナフタルイミド染料であって、Ｌが、カチオン性リンカーアームであるナフタルイミド染料。
【請求項４】
請求項３に記載のナフタルイミド染料であって、Ｌが、以下の式に対応する少なくとも一つの基で中断されたＣ2〜Ｃ20アルキレンカチオン性リンカーであるナフタルイミド染料：
【化４】
2008536999.tif 000004
ここで、Ｒ2、Ｒ3、ｚ、ｚ’及びＸ-は上記で定義した通りである。
【請求項５】
請求項１〜４の何れか１項に記載のナフタルイミド染料であって、下記から選択されるナフタルイミド染料：
・３−メチル−１−｛３−［（２−メチル−１，３−ジオキソ−２，３−ジヒドロ−１Ｈ−ベンゾ［ｄｅ］イソキノリン−６−イル）アミノ］プロピル｝−１Ｈ−イミダゾール−３−イウム塩
【化５】
2008536999.tif 000005
・１−｛３−［６−［（２−ヒドロキシエチル）アミノ］−１，３−ジオキソ−１Ｈ−ベンゾ［ｄｅ］イソキノリン−２（３Ｈ）−イル］プロピル｝−３−メチル−１Ｈ−イミダゾール−３−イウム塩
【化６】
2008536999.tif 000006
・３−メチル−１−｛３−［（６−｛［３−（３−メチル−１Ｈ−イミダゾール−３−イウム−１−イル）プロピル］アミノ｝−１，３−ジオキソ−１Ｈ−ベンゾ［ｄｅ］イソキノリン−２（３Ｈ）−イル）プロピル］−１Ｈ−イミダゾール−３−イウム塩
【化７】
2008536999.tif 000007
・３−｛５−［（２−エチル−１，３−ジオキソ−２，３−ジヒドロ−１Ｈ−ベンゾ［ｄｅ］イソキノリン−６−イル）アミノ］−ペンチル｝−１−｛３−［（２−エチル−１，３−ジオキソ−２，３−ジヒドロ−１Ｈ−ベンゾ［ｄｅ］イソキノリン−６−イル）アミノ］−プロピル｝−１Ｈ−イミダゾール−３−イウム塩
【化８】
2008536999.tif 000008
・３，３’−ブタン−１，４−ジイルビス（１−｛５−［（２−エチル−１，３−ジオキソ−２，３−ジヒドロ−１Ｈ−ベンゾ［ｄｅ］イソキノリン−６−イル）アミノ］ペンチル｝−１Ｈ−イミダゾール−３−イウム塩
【化９】
2008536999.tif 000009
・３−｛５−［（２−エチル−１，３−ジオキソ−２，３−ジヒドロ−１Ｈ−ベンゾ［ｄｅ］イソキノリン−６−イル）アミノ］ペンチル｝−１−［３−（｛２−［３−（１−メチル−１Ｈ−イミダゾール−３−イウム−３−イル）プロピル］−１，３−ジオキソ−２，３−ジヒドロ−１Ｈ−ベンゾ［ｄｅ］イソキノリン−６−イル｝アミノ）プロピル］−１Ｈ−イミダゾール−３−イウム塩
【化１０】
2008536999.tif 000010
・１−｛５−［（２−エチル−１，３−ジオキソ−２，３−ジヒドロ−１Ｈ−ベンゾ［ｄｅ］イソキノリン−６−イル）アミノ］ペンチル｝−３−（４−｛１−［５−（｛２−［３−（１−メチル−１Ｈ−イミダゾール−３−イウム−３−イル）プロピル］−１，３−ジオキソ−２，３−ジヒドロ−１Ｈ−ベンゾ［ｄｅ］イソキノリン−６−イル｝アミノ）ペンチル］−１Ｈ−イミダゾール−３−イウム−３−イル｝ブチル）−１Ｈ−イミダゾール−３−イウム塩
【化１１】
2008536999.tif 000011
・１−メチル−３−｛３−［６−［（３−｛３−［５−（｛２−［３−（１−メチル−１Ｈ−イミダゾール−３−イウム−３−イル）−プロピル］−１，３−ジオキソ−２，３−ジヒドロ−１Ｈ−ベンゾ［ｄｅ］イソキノリン−６−イル｝アミノ）ペンチル］−１Ｈ−イミダゾール−３−イウム−１−イル｝プロピル）アミノ］−１，３−ジオキソ−１Ｈ−ベンゾ［ｄｅ］イソキノリン−２（３Ｈ）−イル｝プロピル］−１Ｈ−イミダゾール−３−イウム塩
【化１２】
2008536999.tif 000012
・３，３’−ブタン−１，４−ジイルビス｛１−［５−（｛２−［３−（１−メチルー１Ｈ−イミダゾール−３−イウム−３−イル）プロピル］−１，３−ジオキソ−２，３−ジヒドロ−１Ｈ−ベンゾ［ｄｅ］イソキノリン−６−イル｝アミノ）ペンチル］−１Ｈ−イミダゾール−３−イウム｝塩
【化１３】
2008536999.tif 000013
・１−メチル−３−［３−（｛２−［３−（３−｛５−［６−｛［３−（１−メチル−１Ｈ−イミダゾール−３−イウム−３−イル）−プロピル］アミノ｝−１，３−ジオキソ−１Ｈ−ベンゾ［ｄｅ］イソキノリン−２（３Ｈ）−イル］ペンチル｝−１Ｈ−イミダゾール−３−イウム−１−イル）プロピル］−１，３−ジオキソ−２，３−ジヒドロ−１Ｈ−ベンゾ［ｄｅ］イソキノリン−６−イル｝アミノ）プロピル］−１Ｈ−イミダゾール−３−イウム塩
【化１４】
2008536999.tif 000014
・３−｛６−［６−［ビス（２−ヒドロキシエチル）アミノ］−１，３−ジオキソ−１Ｈ−ベンゾ［ｄｅ］イソキノリン−２（３Ｈ）−イル］ヘキシル｝−１−｛３−［（２−メチル−１，３−ジオキソ−２，３−ジヒドロ−１Ｈ−ベンゾ［ｄｅ］イソキノリン−６−イル）アミノ］プロピル｝−１Ｈ−イミダゾール−３−イウム塩
【化１５】
2008536999.tif 000015
・３−メチル−１−［３−（｛２−［６−（１−｛３−［（２−メチル−１，３−ジオキソ−２，３−ジヒドロ−１Ｈ−ベンゾ［ｄｅ］イソキノリン−６−イル）アミノ］プロピル｝−１Ｈ−イミダゾール−３−イウム−３−イル）ヘキシル］−１，３−ジオキソ−２，３−ジヒドロ−１Ｈ−ベンゾ［ｄｅ］イソキノリン−６−イル）アミノ］プロピル｝−１Ｈ−イミダゾール−３−イウム塩
【化１６】
2008536999.tif 000016
・１−メチル−３−｛３−［６−｛［３−（３−｛６−［６−｛［３−（３−メチル−１Ｈ−イミダゾール−３−イウム−１−イル）プロピル］アミノ｝−１，３−ジオキソ−１Ｈ−ベンゾ［ｄｅ］イソキノリン−２（３Ｈ）−イル］ヘキシル｝−１Ｈ−イミダゾール−３−イウム−１−イル）プロピル］アミノ｝−１，３−ジオキソ−１Ｈ−ベンゾ［ｄｅ］イソキノリン−２（３Ｈ）−イル］プロピル｝−１Ｈ−イミダゾール−３−イウム塩
【化１７】
2008536999.tif 000017
・３−メチル−１−｛３−（｛２−［６−（１−｛６−［６−｛［３−（１−メチル−１Ｈ−イミダゾール−３−イウム−３−イル）プロピル］アミノ｝−１，３−ジオキソ−１Ｈ−ベンゾ［ｄｅ］イソキノリン−２（３Ｈ）−イル］ヘキシル｝−１Ｈ−イミダゾール−３−イウム−３−イル）ヘキシル］−１，３−ジオキソ−２，３−ジヒドロ−１Ｈ−ベンゾ［ｄｅ］イソキノリン−６−イル｝アミノ）プロピル｝−１Ｈ−イミダゾール−３−イウム塩
【化１８】
2008536999.tif 000018
【請求項６】
次式の、請求項１〜５の何れか１項に記載のナフタルイミド染料：
【化１９】
2008536999.tif 000019
ここで、
−Ｗは、Ｃ1〜Ｃ8アルキル基、好ましくはＣ2〜Ｃ8、さらに好ましくはＣ2〜Ｃ4であり、
−Ｒ、Ｒ1、Ｒ2、Ｒ3及びＸ-は上記で定義した通りである。
【請求項７】
次式の、請求項１〜６の何れか１項に記載のナフタルイミド染料：
【化２０】
2008536999.tif 000020
ここで、
−Ｗは、Ｃ1〜Ｃ8基、好ましくはＣ2〜Ｃ8、さらに好ましくはＣ2〜Ｃ4であり、
−Ｒ1、Ｒ2及びＸ-は上記で定義した通りであり、
−Ｌ’は、Ｌとして定義される。
【請求項８】
次式の、請求項１〜６の何れか１項に記載のナフタルイミド染料：
【化２１】
2008536999.tif 000021
ここで、Ｒ、Ｒ1、Ｌ及びＸ-は上記で定義した通りである。
【請求項９】
次式の、請求項１〜６の何れか１項に記載のナフタルイミド染料：
【化２２】
2008536999.tif 000022
ここで、Ｒ、Ｒ１、Ｌ及びＸ-は上記で定義した通りである。
【請求項１０】
ケラチン繊維を染色するための染料組成物であって、適切な染料媒質中に、請求項１〜９の何れか１項に記載の少なくとも一つのカチオン性ナフタルイミド化合物を含有する組成物。